(57)【要約】      （修正有）【課題】Ｌ字家屋の棟の接合箇所まわりにおける、氷柱の成長を防止するルーフヒータを提供する。【解決手段】発熱シート材４０、４１に二本の電極線２４、２５を配した発熱ヒータ２０であり、略長方形を呈する一般発熱部２１と、一般発熱部の片側端部に設けた略三角形型の端部発熱部３１を備え、端部発熱部は、外周部に、第一の電極線２４に接続させた外周電極線３４を備える一方、外周電極線に囲まれた領域の適宜箇所に、第二の電極線２５に接続させた内側電極線３５を設ける。略長方形を呈する一般発熱部２１の電極線への通電により、略三角形の端部発熱部３１も発熱可能となる。Ｌ字状家屋に配した場合、略三角形の端部発熱部によって加熱部位に生じやすい隙間を解消することが出来る。【選択図】図１
0003202828.tif 000002
【実用新案登録請求の範囲】
【請求項１】
発熱シート材に二本の電極線を配した面状の発熱ヒータであって、
該発熱ヒータは、
略長方形を呈する一般発熱部と、
この一般発熱部の片側端部に設けた略三角形型の端部発熱部を備え、
この端部発熱部は、
その外周部に、
前記電極線のうち第一の電極線に接続させた外周電極線を備える一方、
当該外周電極線に囲まれた領域の適宜箇所に、
前記電極線のうち第二の電極線に接続させた内側電極線を設けることを特徴とするＬ字家屋用のルーフヒータ。
【請求項２】
内側電極線は、
外周電極線に囲まれた領域の略中央部に配することを特徴とする請求項１記載のＬ字家屋用のルーフヒータ。
【請求項３】
端部が外周電極線に接続し、
内側電極線の方向へ延設させた第一の電極細線と、
端部が内側電極線に接続し、
外周電極線の方向へ延設させた第二の電極細線とを備えることを特徴とする請求項１または請求項２記載のＬ字家屋用のルーフヒータ。
【考案の詳細な説明】
【技術分野】
【０００１】
本考案は、平面略Ｌ字型を呈する傾斜屋根家屋において、棟の曲り部分の屋根に配するルーフヒータの構造に関する。
【背景技術】
【０００２】
傾斜屋根をもった二つの棟を、略Ｌ字状に組み合わせた形の家屋（以下、Ｌ字家屋）がある。
【０００３】
図７に示すように、Ｌ字家屋１は、敷地形状や駐車場確保等、種々の事情によって造られるが、切妻屋根２をもった二つの棟３、４の接合箇所５は、雨水を排水する目的から、概ね、断面略Ｖ字状の溝形状とすることが多い。
【０００４】
そして、降雪地では、切妻屋根２に金属製の葺き板を用いるので、Ｖ字状の接合箇所５も金属板を用いて屋根（２）を葺く。
【０００５】
一方、降雪地の金属製屋根（２）には氷柱（つらら）が成長しやすく、放置すると大きな氷塊が落下して事故を惹起する畏れがあるため、屋根用のシートヒータ（以下ルーフヒータ）が用いられることがあった。
【０００６】
ルーフヒータ１０は、例えば図８に示すように、可撓性をもった帯状のフィルム材であり、上端部と下端部に平行させて設けた二本の電極線１１、１２を備え、この電極線１１、１２の間に、伝導性粒子材（炭素粒子等）１４を配し、通電によって伝導性粒子材１４の粒子を連鎖させて発熱させるものである。
【０００７】
伝導性粒子材１４の粒子は、マトリクス（非伝導性の樹脂）に混在させてあるので、粒子の連鎖密度が高まって温度が高くなると、マトリクスが膨張して粒子の連鎖を断ち切り（連鎖密度が粗となる）、発熱性能を抑える。このため、いわゆるＰＴＣ（Positive Temperature Coefficient；正温度係数）型の面状発熱体を用いたルーフヒータ１０は、自己温度制御が可能で、高温になりすぎず発火等の事故を起こしにくい利点がある。
【０００８】
なお、１１−２、１２−２は二本の電極線１１、１２へ電源を供給するための給電線、１１−３、１２−３は給電端子、１１−５は給電端子、１１−６は当該給電端子１１−５に接続させた給電線である。電源は、直流、交流いずれでも良い。給電端子１１−５はシート状のものでも良い。
【０００９】
従来、このようなルーフヒータ１０をＬ字家屋の屋根に配するときは、適宜の長さに切断した帯状長方形のフィルム材を屋根の軒先部分に配設した。例えば、図９に示すように、Ｖ字溝をなす接合箇所５の斜面、および、傾斜屋根（２）の軒先にルーフヒータ１０を配する等である。
【００１０】
なお、ルーフヒータ１０は、屋根の野地板と金属葺き板との間に配設し、外部には露出させない。金属葺き板を、下方から暖めて雪を融かす構造とするのが一般である。
【先行技術文献】
【特許文献】
【００１１】
【特許文献１】特開２０１０−４５０２５
【特許文献２】実用新案登録第３１９２３８０号
【考案の開示】
【考案が解決しようとする課題】
【００１２】
ところで、従来のルーフヒータ（１０）は、二本の電極線（１１、１２）に挟まれた部分の伝導性粒子材（１４）が発熱する構造なので、使用時には、適宜の長さをもった長方形に切断して使用した。
【００１３】
このため、従来のルーフヒータ（１０）では、図９に、符号Ｓで示すような加熱困難領域（隙間）が生ずる。谷型溝（５）およびその近傍箇所は、長方形のルーフヒータ１０では完全にカバーできない部分が必然的に生ずるからである。
【００１４】
従来のルーフヒータ（１０）でカバーできない加熱困難領域は、ルーフヒータ（１０）の熱を若干受けるが、十分な加熱ではないから、外気温が低い場合等においては、氷柱の成長を防止することは困難である。
【００１５】
そこで、本考案の目的は、Ｌ字家屋の棟の接合箇所（５）まわりにおける、氷柱の成長を防止可能とする点にある。
【課題を解決するための手段】
【００１６】
前記目的を達成するため、本考案に係るＬ字家屋用のルーフヒータは、発熱シート材に二本の電極線を配した発熱ヒータを技術的前提として、該発熱ヒータは、略長方形を呈する一般発熱部と、この一般発熱部の片側端部に設けた略三角形型の端部発熱部を備え、この端部発熱部は、その外周部に、前記電極線のうち第一の電極線に接続させた外周電極線を備える一方、当該外周電極線に囲まれた領域の適宜箇所に、前記電極線のうち第二の電極線に接続させた内側電極線を設ける（請求項１）。
【００１７】
本考案に係るルーフヒータは、略三角形型の端部発熱部の外周部に、第一の電極線に接続させた外周電極線を設けるとともに、外周電極線に囲まれた領域の適宜箇所に、第二の電極線に接続させた内側電極線を設けることによって、略長方形を呈する一般発熱部の電極線を介して、略三角形の端部発熱部も発熱可能とするものである。
【００１８】
外周電極線と内側電極線の間に挟まれた発熱シートの伝導性粒子は、長方形型の一般発熱部と同様、二つの電極線に挟まれて伝導粒子が連鎖列を作り、発熱温度に起因する粒子列の粗密具合に応じて発熱温度を自己調整する。
【００１９】
端部発熱部は略三角形型を呈するので、Ｌ字家屋の棟の接合箇所まわりの形状に応じて、軒先に隙間なく配設できるから、従来のような加熱困難領域の問題は完全に解消でき、氷柱の成長を確実に防止できる。
【００２０】
内側電極線は、外周電極線に囲まれた領域の略中央部に配する場合がある（請求項２）。
【００２１】
内側電極線の配設本数は限定されないが、最も少ない本数（一本）の内側電極線を設ける場合は、外周電極線に囲まれた領域の略中央部に配することが望ましい。二本の電極線に挟まれた伝導性粒子材への通電を均等化して、安定した製品性能を実現させることが出来るからである。
【００２２】
端部が外周電極線に接続し、内側電極線の方向へ延設させた第一の電極細線と、端部が内側電極線に接続し、外周電極線の方向へ延設させた第二の電極細線とを備える場合がある（請求項３）。
【００２３】
略三角形の端部発熱部は、氷柱が発生する軒先に最も近い箇所にある。第一、第二の電極細線を介在させることによって、電極細線に挟まれた伝導性粒子材の面積を細分化すれば、伝導性粒子材の粒子列は一般発熱部に比べて密になりやすく、比較的高い温度を維持しやすい。これにより、Ｌ字家屋のＶ字溝まわりの氷柱の発生は、ほぼ確実に抑えることが可能となる。
【考案の効果】
【００２４】
本考案に係るルーフヒータによれば、Ｌ字家屋の棟の接合箇所（５）まわりにおける氷柱の成長を確実に防止できる。
【図面の簡単な説明】
【００２５】
【図１】第一の実施形態に係る端部発熱部まわりの構成を例示する図である。
【図２】第一の実施形態に係るルーフヒータを例示する断面図である。
【図３】第一の実施形態に係るルーフヒータと基板材との関係を例示する図である。
【図４】第一の実施形態に係るルーフヒータの配設例を断面から示す図である。
【図５】第一の実施形態に係るルーフヒータの配設例を平面から示す図である。
【図６】第二の実施形態に係る端部発熱部まわりの構成を例示する図である。
【図７】Ｌ字状家屋を例示する図である。
【図８】従来のルーフヒータを例示する図である。
【図９】従来のルーフヒータの配設状態を平面から示す図である。
【考案を実施するための形態】
【００２６】
本考案に係るルーフヒータ２０は、例えば、図１に示すように、略長方形を呈する一般発熱部２１と、この一般発熱部２１の片側端部に設けた略三角形型の端部発熱部３１とを備える。
【００２７】
略長方形の一般発熱部２１の長手方向端部または端部近傍には、二本の電極線２４、２５を略平行に離隔配置する。４０は、適宜の発熱シート、例えば、伝導粒子（炭素粒子、炭素繊維等）を備える発熱シートである。なお、以下の説明では、電極線２４を第一の電極線、電極線２５を第二の電極線と称して説明する。第一の電極線２４、第二の電極線２５への給電は従来のルーフヒータと同様である（図８参照）。
【００２８】
略三角形の端部発熱部３１は、その外周部に、第一の電極線２４に接続させた外周電極線３４を備えるとともに、この外周電極線３４に囲まれた領域の適宜箇所、例えば略中央に、第二の電極線２５に接続させた内側電極線３５を備える。４１は、伝導粒子を備える発熱シート、３７は、第一の電極線２４と外周電極線３４とを電気的に接続させる接続線、３８は、第二の電極線２５と内側電極線３５とを電気的に接続させる接続線である。３９は、外周電極線３４と内側電極線３５とを絶縁するためのベースシート（肉薄基盤）である。
【００２９】
接続線３７、３８を介して接続させるので、外周電極線３４は、第一の電極線２４および第二の電極線２５とは接していない。また、内側電極線３５の先端部（ベースシート３９側を基端部とした場合の反対側端部）は、外周電極線３４との間に若干の隙間（絶縁スペース）を設けておく。
【００３０】
一方、発熱シート４０、４１は、一体構成でも良いし、別々のものとして構成しても良い。一体構成の場合は、従来のルーフヒータの端部を斜めにカットして利用することが出来る。略長方形のルーフヒータの端部を適当角度（例えば４５度）に切断すれば、発熱シート４１を備える略三角形の部分が出来るので、そこにベースシート３９、外周電極線３４、内側電極線３５、接続線３７、３８等を設ければ、端部発熱部３１を作ることが出来る。
【００３１】
図２に、断面構造を分解して例示する。本考案に係るルーフヒータ２０は、一般発熱部２１と端部発熱部３１とから成るので、同一または若干大きな相似形の基板材５１を用いて、当該基盤材５１の上にシート状発熱体（一般発熱部２１および端部発熱部３１）を適宜の方法、例えば接着によって配置する。
【００３２】
５２は、粘着材、５３は、粘着材５２用の基材（肉薄材）、５４は、カーボンシート、５６は、絶縁フィルム、５７は、保護フィルムである。カーボンシート５４に代え、ポリエチレンテレフタレート（ＰＥＴ）やポリエチレンナフタレート（ＰＥＮ）等と、通電フィルム（例えば、酸化インジウムスズ（ＩＴＯ）等の薄膜材）を組み合わせて用いても良い。
【００３３】
図３は、シート状発熱体（一般発熱部２１および端部発熱部３１）と、基板材５１との関係を例示するものである。基板材５１は、例えば、適宜素材の金属板を用いることが出来る。熱伝導性はないが、基盤材５１として樹脂板や木製板を用いても構わない。基板材５１は、無駄に大きくする必要はないから、好ましくは、シート状発熱体（一般発熱部２１および端部発熱部３１）と同一形状または若干の外周余裕をもたせた相似形のものを用いる。
【００３４】
図４は、具体的な配設例を断面で示すものである。本考案に係るルーフヒータ２０は、施工時（配設時）には、屋根の葺き板材の下に位置させる。６１は、野地板、６２は、ルーフィングシート、６４は、金属製の葺き板（例えばトタン屋根板材）である。ルーフヒータ２０は、野地板６１と葺き板６４に挟まれた位置にあり、外部には露出させないので風雨、降雪、海潮等の影響は受けない。
【００３５】
また、基板材５１によってルーフヒータ２０を支持するので、降雪による屋根加重や経年劣化による屋根まわりの変形があっても、ルーフヒータ２０そのものの変形は生じにくく、長期にわたる耐久性を確保できる。
【００３６】
図５は、葺き板（６４）の下に配設したルーフヒータ２０の配設状態を平面から例示するものである。基板材５１を野地板側に設置するという条件の場合、基板材５１とシート状発熱体（一般発熱部２１および端部発熱部３１）の上下位置を反転させれば、正逆反転させた二種類のルーフヒータ（２０−１、２０−２）を作ることが出来る。
【００３７】
このため、谷型溝（５）およびその近傍箇所に、軒先との間に隙間（加熱空白領域）を生じさせることなく、ルーフヒータ（２０−１、２０−２）を配設することが可能となる。
【００３８】
従って、かかる構成によれば、一般発熱部２１の片側端部に設けた略三角形型の端部発熱部３１を、電極線２４、２５にそれぞれ接続させた外周電極線３４と内側電極線３５とによって発熱させることが出来、また端部発熱部３１によって、軒先との間に隙間を生ずることなく発熱シートを配置できる。
【００３９】
この結果、Ｌ字状家屋の棟の接続部において発生しやすかった氷柱の成長を、確実に防止できる。
【００４０】
略三角形の端部発熱部３１に設ける電極線（３４、３５）は、一般発熱部２１の電極線２４、２５の配設面とは反対となる面（裏側）に設けても良い。この場合も、例えば接続線３７、３８を介して、電極線２４、２５と端部発熱部３１の電極線（３４、３５）とを接続させることが出来る。
【００４１】
図６に、電極線２４、２５の裏側に端部発熱部３１の電極線（３４、３５）を設ける場合を例示する。
【００４２】
図６に示す例では、外周電極線３４から内側電極線３５の方向へ延設した第一の電極細線３４−２と、内側電極線３５から外周電極線３４の方向へ延設した第二の電極細線３５−２とを例示した。
【００４３】
第一の電極細線３４−２の先端は内側電極線３５と接触せず、第二の電極細線３５−２の先端は外周電極線３４と接触しない。このような二種類の電極細線３４−２、３５−２を設けることによって、端部発熱部３１の通電密度を高め、軒先に近い位置にある発熱シート４１の発熱効率（とくに応答性）を向上させることが望ましい。
【００４４】
略三角形の端部発熱部３１の、斜めラインの設定角度は、Ｌ字状家屋の谷型溝（５）の形状等に応じて適宜設計することが望ましい。
【００４５】
なお、ルーフヒータ２０に使用する電極線（２４、２５、３４、３５等）はフィルム状の肉薄電極線を使用することが望ましい。
【００４６】
本考案に係るルーフヒータは、発熱シート材としてカーボン系発熱体（いわゆるＰＴＣ面状発熱体等）を用いることが出来るが、その他の素材を用いた発熱シート材であっても良い。
【符号の説明】
【００４７】
５  谷型溝
２０、２０−１、２０−２  ルーフヒータ
２１  一般発熱部
２４  第一の電極線
２５  第二の電極線
３１  端部発熱部
３４  外周電極線
３４−２、３５−２  電極細線
３５  内側電極線
３７、３８  接続線
３９  ベースシート（肉薄基盤）
４０、４１  発熱シート
５１  基板材
５２  粘着材
５３  （粘着材用の）基材
５４  カーボンシート
５６  絶縁フィルム
５７  保護フィルム
６１  野地板
６２  ルーフィングシート
６４  葺き板
Ｓ  隙間
【図１】
0003202828.tif 000003
【図２】
0003202828.tif 000004
【図３】
0003202828.tif 000005
【図４】
0003202828.tif 000006
【図５】
0003202828.tif 000007
【図６】
0003202828.tif 000008
【図７】
0003202828.tif 000009
【図８】
0003202828.tif 000010
【図９】
0003202828.tif 000011